(57)【要約】【課題】使い捨ておむつの股部被覆域でパネルが重なり合って形成している便溜め用のポケットを大きく開口させる。【解決手段】使い捨てのおむつ１の股部被覆域８で第１パネル部２１に第２パネル部２２が重なることによって、便溜め用ポケット５６が形成される。股部被覆域８の両側部に形成されて弾性的に伸長収縮可能な防漏カフ３３の内側縁部３６が伸長状態で第２パネル部２２の股部被覆域８に位置する後端部４９の近傍に接合する。【選択図】図２
2005296230.tif 000002
【特許請求の範囲】
【請求項１】
互いに直交する前後方向と幅方向とを有し、前記前後方向には前胴周り被覆域と後胴周り被覆域とこれら両被覆域間に位置する股部被覆域とが形成され、これら各域が内面側とその反対側の外面側とを有し、前記内面側には、前記股部被覆域における前記幅方向の中央部にあって前記前後方向へ延びる体液吸収部と、前記幅方向の両側部にあって前記前後方向へ弾性的に伸長収縮可能に延びており前記体液吸収部を部分的に覆うことが可能な防漏カフとが形成されている使い捨てのおむつにおいて、
前記体液吸収部が、前記後胴周り被覆域に位置する第１後端部と前記股部被覆域に位置する第１前端部とを有していて前記後胴周り被覆域と前記股部被覆域とに広がる体液吸収性の第１パネル部と、前記前胴周り被覆域に位置する第２前端部と前記股部被覆域に位置する第２後端部とを有していて前記前胴周り被覆域と前記股部被覆域とに広がる体液吸収性の第２パネル部とを有し、前記股部被覆域において、前記第２後端部が前記第１前端部よりも前記おむつ着用者の肌寄りに位置する態様で前記第２パネル部が前記第１パネル部に重なるとともに、これら両パネル部間には前記第１前端部につながる第３前端部と前記第２後端部につながる第３後端部とを有する第３パネル部が介在しており、
前記第１、第２パネル部は、前記着用者の肌と向かい合う第１、第２内面とこれら第１、第２内面の反対面である第１、第２外面とを有し、前記第３パネル部は、前記第１内面と向かい合う第３内面とその反対面である第３外面とを有し、これら第１、第２、第３パネル部のうちの少なくとも前記第１、第２パネル部のそれぞれが体液吸収性材料からなる第１、第２集合体と前記第１、第２集合体を覆って前記第１、第２内面を形成する透液性の第１、第２内面シートと前記第１、第２集合体を覆って前記第１、第２外面を形成する透液性および不透液性のいずれかである第１、第２外面シートとを含み、
前記防漏カフは、前記前胴周り被覆域と前記後胴周り被覆域と前記股部被覆域との前記内面側に固定された外側縁部と前記外側縁部よりも前記股部被覆域の幅方向中央部寄りに位置して弾性的に伸長収縮可能な内側縁部とを有し、前記内側縁部が前記前後方向への伸長状態下に前記第２パネル部の前記第２後端部近傍に接合していることを特徴とする前記おむつ。
【請求項２】
前記第３パネル部は、体液吸収性材料からなる第３集合体と前記第３集合体を覆って前記第３内面を形成する透液性の第３内面シートと前記第３集合体を覆って前記第３外面を形成する透液性および不透液性のいずれかである第３外面シートとを含む請求項１記載のおむつ。
【請求項３】
前記第３パネル部は、前記第１、第２内面シートの延長上にある第３内面シートと前記第１、第２外面シートの延長上にある第３外面シートとが体液吸収性材料を介在させることなく重なり合うことによって形成されている請求項１記載のおむつ。
【請求項４】
前記第２後端部が前記おむつの前後方向の寸法を二等分する中心線よりも前記前胴周り被覆域寄りに位置している請求項１〜３のいずれかに記載のおむつ。
【請求項５】
前記第１パネル部と第２パネル部とが重なり合う前記前後方向における寸法が２０〜７０ｍｍの範囲にある請求項１〜４のいずれかに記載のおむつ。
【請求項６】
前記各域の前記内面側および外面側のいずれかが不透液性シートで形成されている請求項１〜５のいずれかに記載のおむつ。
【発明の詳細な説明】
【技術分野】
【０００１】
この発明は使い捨ておむつ、より詳しくは便溜め用ポケットを有する使い捨ておむつに関する。
【背景技術】
【０００２】
従来、便溜め用ポケットを有する使い捨ておむつは周知である。例えば、特開２００２−３１５７７８号公報（特許文献１）に開示された使い捨ておむつは、便溜め用ポケットを有するものの一例であって、体液吸収性を有する第１の芯材が透液性シートと不透液性シートとでサンドウィッチされてなる大きなパネルが前後胴周り域と股下域とに広がるように形成されている。このおむつはまた、体液吸収性を有する第２の芯材が透液性シートで包まれてなり、おむつの内面側において前記の大きなパネルに重なる小さなパネルが前胴周り域と股下域の一部分とに広がるように形成されている。この小さなパネルは、股下域において大きなパネルに形成された便溜め用の凹部の一部分を覆っていて、大きなパネルと小さなパネルとの間には後胴周り域に向かって開口するポケットが形成されている。後胴周り域から股下域に向かって流れる軟便は、便溜めとして作用するこのポケットに流入可能である。
【特許文献１】特開２００２−３１５７７８号公報
【発明の開示】
【発明が解決しようとする課題】
【０００３】
特許文献１に開示された使い捨ておむつの便溜め用ポケットでは、凹部の底面から小さなパネルまでの寸法と凹部の幅方向の寸法とがポケットの開口寸法となる。ポケットが大きく口を開くようにするためには、この開口寸法を大きくすればよいのであるが、そのために凹部を深くすると、大きなパネルが厚くなり、おむつは股下域が嵩張るものになる。また、小さなパネルが体液を吸収して、小さなパネルの芯材が膨潤したり、芯材の剛性が低下したりすると、小さなパネルがポケットの開口寸法を小さくするように凹部の内側に垂れ下がり、ポケットへの便の流入を困難にすることがある。
【０００４】
この発明が課題とするところは、特許文献１に開示されているように股下域でパネル部が重なり合うことによって便溜め用ポケットが形成されている使い捨ておむつにおいて、そのポケットが容易に大きく開口できるように改良を施すことにある。
【課題を解決するための手段および発明の効果】
【０００５】
前記課題を解決するために、この発明が対象とするのは、互いに直交する前後方向と幅方向とを有し、前記前後方向には前胴周り被覆域と後胴周り被覆域とこれら両被覆域間に位置する股部被覆域とが形成され、これら各域が内面側とその反対側の外面側とを有し、前記内面側には、前記股部被覆域における前記幅方向の中央部にあって前記前後方向へ延びる体液吸収部と、前記幅方向の両側部にあって前記前後方向へ弾性的に伸長収縮可能に延びており前記体液吸収部を部分的に覆うことが可能な防漏カフとが形成されている使い捨てのおむつである。
【０００６】
かかる使い捨ておむつにおいて、この発明が特徴とするところは、次のとおりである。前記体液吸収部は、前記後胴周り被覆域に位置する第１後端部と前記股部被覆域に位置する第１前端部とを有していて前記後胴周り被覆域と前記股部被覆域とに広がる体液吸収性の第１パネル部と、前記前胴周り被覆域に位置する第２前端部と前記股部被覆域に位置する第２後端部とを有していて前記前胴周り被覆域と前記股部被覆域とに広がる体液吸収性の第２パネル部とを有し、前記股部被覆域において、前記第２後端部が前記第１前端部よりも前記おむつ着用者の肌寄りに位置する態様で前記第２パネル部が前記第１パネル部に重なるとともに、これら両パネル部間には前記第１前端部につながる第３前端部と前記第２後端部につながる第３後端部とを有する第３パネル部が介在している。前記第１、第２パネル部は、前記着用者の肌と向かい合う第１、第２内面とこれら第１、第２内面の反対面である第１、第２外面とを有し、前記第３パネル部は、前記第１内面と向かい合う第３内面とその反対面である第３外面とを有する。これら第１、第２、第３パネル部のうちの少なくとも前記第１、第２パネル部のそれぞれが体液吸収性材料からなる第１、第２集合体と前記第１、第２集合体を覆って前記第１、第２内面を形成する透液性の第１、第２内面シートと前記第１、第２集合体を覆って前記第１、第２外面を形成する透液性および不透液性のいずれかである第１、第２外面シートとを含む。前記防漏カフは、前記前胴周り被覆域と前記後胴周り被覆域と前記股部被覆域との前記内面側に固定された外側縁部と前記外側縁部よりも前記股部被覆域の幅方向中央部寄りに位置して弾性的に伸長収縮可能な内側縁部とを有し、前記内側縁部が前記前後方向への伸長状態下に前記第２パネル部の前記第２後端部近傍に接合している。
【０００７】
かように構成される使い捨てのおむつでは、股部被覆域において第１パネル部に第２パネル部が重なることによって便溜め用ポケットが形成される。そのポケットでは、伸長状態にある防漏カフと第２パネル部とが第２パネル部の第２後端部近傍で接合しているから、おむつが着用されて前後方向において湾曲すると、防漏カフが収縮して第２パネル部の第２後端部を第１パネル部から離間するように吊り上げるので、ポケットが大きく開口する。第２パネル部は、吊り上げられた状態にあるから、体液を吸収しても、ポケットの開口を小さくするように作用することがない。
【０００８】
請求項２に係るこの実施態様の一つにおいて、前記第３パネル部は、体液吸収性材料からなる第３集合体と前記第３集合体を覆って前記第３内面を形成する透液性の第３内面シートと前記第３集合体を覆って前記第３外面を形成する透液性および不透液性のいずれかである第３外面シートとを含む。
【０００９】
かかる態様のおむつでは、股部被覆域を中央にして前胴周り被覆域と後胴周り被覆域とに延びる体液吸収部を股部被覆域においてＺ字形を呈するように折り重ねることによって第１、第２、第３パネル部を簡単に得ることができる。
【００１０】
請求項３に係るこの発明の実施態様の一つにおいて、前記第３パネル部は、前記第１、第２内面シートの延長上にある第３内面シートと前記第１、第２外面シートの延長上にある第３外面シートとが体液吸収性材料を介在させることなく重なり合うことによって形成されている。かかる態様のおむつでは、第３パネル部が体液吸収性材料を含むことがないので、股下域は嵩張ることがない。
【００１１】
請求項４に係るこの発明の実施態様の一つにおいて、前記第２後端部が前記おむつの前後方向の寸法を二等分する中心線よりも前記前胴周り被覆域寄りに位置している。かように構成されるおむつでは、第２パネル部の第２後端部が股部被覆域において肛門と性器との間に位置して、後胴周り被覆域から前胴周り被覆域方向へ向かう軟便の流れを止めるとともに、前胴周り被覆域から後胴周り被覆域方向へ向かう尿の流れを止めることができる。かかるおむつでは、軟便と尿とが混合されたり、軟便によっておむつ着用者の性器近傍を汚したりすることがない。
【００１２】
請求項５に係るこの発明の実施態様の他の一つにおいて、前記第１パネル部と第２パネル部とが重なり合う前記前後方向における寸法が２０〜７０ｍｍの範囲にある。かように構成されるおむつでは、第１パネル部と第２パネル部とが重なり合う寸法を適宜に選択することによって、第１、第２、第３パネル部による股部被覆域の嵩張りを小さく抑えることが可能になる。
【００１３】
請求項６に係るこの発明の実施態様の他の一つにおいて、前記各域の前記内面側および面側のいずれかが不透液性シートで形成されている。このように構成されるおむつでは、各域に吸収された体液が各域を透過しておむつの外へ漏れることがない。
【発明を実施するための最良の形態】
【００１４】
添付の図面を参照して、この発明に係る使い捨ておむつの詳細を説明すると、以下のとおりである。
【００１５】
図１に部分破断図で示された使い捨ておむつ１は、双頭矢印Ａで示される前後方向と、双頭矢印Ａに直交する双頭矢印Ｂで示される幅方向とを有し、カバーシート２と体液吸収性パネル３とを含んでいる。カバーシート２は、前後方向Ａに長い矩形のもので、前胴周り被覆域６と、後胴周り被覆域７と、股部被覆域８とを有し、前後胴周り被覆域６，７のそれぞれには幅方向Ｂへ延びる一対の前方翼部１１と一対の後方翼部１２とが形成されている。カバーシート２はまた、おむつ着用者の肌と向かい合う内面１３と、着衣と向かい合う外面１４とを有し、その内面が不透液性プラスチックフィルムで形成され、外面がそのプラスチックフィルムにラミネートされた不織布で形成されている。カバーシート２において、前後方向Ａへ延びる両側縁部１６と幅方向Ｂへ延びる後端縁部１９とでは、脚周り弾性部材１７と胴周り弾性部材２０とがこれらプラスチックフィルムと不織布との間にあって、これらの少なくとも一方に伸長状態で接合している。後方翼部１２の内面には、粘着剤等からなるファスナー１８が設けられており、おむつ１を着用するときには、このファスナー１８を介して後方翼部１２をカバーシート２の外面１４の所要部位または前方翼部１１の外面に剥離可能に止着することができる。
【００１６】
吸収性パネル３は、カバーシート２の内面１３の側に設けられているもので、後胴周り被覆域７と股部被覆域８とに広がる第１パネル部２１と、前胴周り被覆域６と股部被覆域８とに広がる第２パネル部２２と、これら両パネル部２１，２２間に介在する第３パネル部２３とを有する。第１、第２、第３パネル部２１，２２，２３は、前後方向Ａにおいて一連を成すもので、体液の透過性と拡散性とにすぐれた内側および外側拡散性シート２６，２７と、これら拡散性シート２６，２７間に介在する体液吸収性材料の集合体である芯材２８と、内側拡散性シート２６を覆う体液透過性のトップシート２９とで形成されている。吸収性パネル３はまた、前後方向Ａに延びる両側縁部３１と幅方向Ｂに延びる前後端縁部３２ａ，３２ｂとを有し、側縁部３１それぞれが防漏カフ３３によって覆われている。防漏カフ３３は、帯状の不織布、好ましくは撥水性ないし不透液性の帯状の不織布からなるもので、外側縁部３４と、外側縁部３４よりもおむつ１の幅を二等分する中心線Ｃ−Ｃ寄りに位置する内側縁部３６と、前端縁部３７と、後端縁部３８とを有し、外側縁部３４と前後端縁部３７，３８とがトップシート２９またはカバーシート２に接着または溶着により固定されている。また、内側縁部３６には弾性部材４１が前後方向Ａに伸長された状態で接合している。ただし、図のおむつ１は、脚周り弾性部材１７とカフ３３の弾性部材４１とが収縮することによって、前後方向Ａにおいて湾曲した状態にある。
【００１７】
図２は、図１におけるＩＩ−ＩＩ線矢視図であって、ＩＩ−ＩＩ線は中心線Ｃ−Ｃに一致している。カバーシート２の内面１３に設けられた体液吸収部３において、第１パネル部２１は後胴周り被覆域７に第１後端部４６を有し、股部被覆域８に第１前端部４７を有する。第２パネル部２２は、前胴周り被覆域６に第２前端部４８を有し、股部被覆域８に第２後端部４９を有する。第３パネル部２３は、第１前端部４７につながる第３前端部５１と、第２後端部４９につながる第３後端部５２とを有する。また、第１パネル部２１は、トップシート２９で形成された第１内面２１ａと、外側拡散性シート２７で形成された第１外面２１ｂとを有し、その第１外面２１ｂはホットメルト接着剤（図示せず）を介してカバーシート２の内面１３に接合している。第２パネル部２２は、トップシート２９で形成された第２内面２２ａと、外側拡散性シート２７で形成された第２外面２２ｂとを有し、その外面２２ｂは、第２前端部４８の近傍がホットメルト接着剤（図示せず）を介してカバーシート２の内面１３に接合する一方、股部被覆域８において第２後端部４９の近傍が第１パネル部２１における第１前端部４７の上方に位置している。股部被覆域８において、第１パネル部２１と第２パネル部２２との間に介在する第３パネル部２３は、第１パネル部２１と第２パネル部２２とにおけるトップシート２９の延長上にあるトップシート２９で形成された第３内面２３ａと、第１パネル部２１と第２パネル部２２とにおける外側拡散性シート２７の延長上にある外側拡散性シート２７で形成された第３外面２３ｂとを有し、その第３内面２３ａは、第１パネル部２１の第１内面２１ａと離間接触可能に向かい合い、その第３外面２３ｂは第２パネル部２２の第２外面２２ｂと向かい合っている。好ましいおむつ１において、第２パネル部２２の第２外面２２ｂを形成している外側拡散性シート２７と第３パネル部２３の第３外面２３ｂを形成している外側拡散性シート２７とは、ホットメルト接着剤（図示せず）を介して互いに接合している。カバーシート２の内面１３に接合していない第２パネル部２２の第２後端部４９近傍とここに重なる第３パネル部２３とは、双頭矢印Ｅ方向へ旋回して第１パネル部２１の第１内面２１ａに対して離間したり接近したりすることが可能であり、図示の如く離間したときには、第１パネル部２１と第３パネル部２３との間に、後胴周り被覆域７に向かって開口するポケット５６を形成する。
【００１８】
このポケット５６では、図１に示されるように、第２パネル部２２の第２後端部４９と、この第２後端部４９の一部分を覆うカフ３３の内側縁部３６とが鎖線で示す部位６１において接着剤６２を介して互いに接合している（図３を併せて参照）。かようなポケット５６は、カバーシート２を前後方向Ａに伸展して平面状にすると同時に、弾性部材４１を前後方向に伸長してカフ３３の内側縁部３６を体液吸収部３のトップシート２９の上に倒伏させ、かかる状態にあるカフ３３と第２パネル部２２とを部位６１で接合することによって得られる。カフ３３と第２パネル部２２とをこのように接合した後に弾性部材４１と脚周り弾性部材１７とが収縮すると、おむつ１が図１，２のように湾曲し、カフ３３は内側縁部３６を上にしてカバーシート２の内面１３から起立する方向へ動き、部位６１においてカフ３３に接合している第２パネル部２２の第２後端部４９とここにつながる第３パネル部２３とを吊り上げる。カフ３３によるこのような作用の結果として、ポケット５６が大きく開口する。第２パネル部２２と第３パネル部２３とは、軟便と尿との前後方向Ａおける流れを止めて軟便を便溜めであるポケット５６に流入させ、軟便と尿とが混合されることを防ぐように作用するもので、これら両パネル部２２，２３がつながる第２パネル部２２の後端２２ｄ（図１，２参照）は、おむつ１の前後方向の寸法を二等分する線Ｐ−Ｐと、線Ｐ−Ｐとおむつ１の前端６ａとの間の寸法を二等分する線Ｑ−Ｑとの間に位置させ、その後端２２ｄが確実におむつ着用者の肛門と性器との間に位置するようにすることが好ましい。
【００１９】
図３は、図１のＩＩＩ−ＩＩＩ線矢視図である。外側縁部３４がカバーシート２の内面１３に固定されている防漏カフ３３は、弾性的に伸長収縮可能な内側縁部３６の部位６１が接着剤６２を介して第２パネル部２２の第２後端部４９に接合している。ポケット５６は、第１パネル部２１が下方に向かって凸となるように湾曲し、カフ３３によって吊り上げられた第２パネル部２２と第３パネル部２３とが上方に向かって凸となるように湾曲することによって、大きく開口している。
【００２０】
このようなポケット５６を有する体液吸収部３は、第１、第２、第３パネル部２１，２２，２３が前後方向Ａに平坦に延びた状態のパネル（図示せず）を用意し、このパネルをＺ字形を呈するように図２の如く股部被覆域８で折り重ねることによって得ることができる。
【００２１】
図４は、この発明の実施態様の一例を示す図２と同様な図である。このおむつ１における吸収性パネル３も、第１、第２、第３パネル部２１，２２，２３を有するが、図示例の第３パネル部２３は芯材２８を含むことがなく、互いに重なり合うトップシート２９と内側拡散性シート２６と外側拡散性シート２７とによって形成されている。吸収性パネル３は、図２のそれと同じように、第１、第２、第３パネル部が平坦に延びた状態のパネルを股部被覆域８においてＺ字形に折り重ねることによって得ることができる。
【００２２】
図５もまた、この発明の実施態様の一例を示す図２と同様な図である。このおむつ１では、吸収性パネル３の内面を形成している透液性のトップシート２９が、第１パネル部２１の第１内面２１ａを形成する第１トップシート２９ｕと、第２パネル部２２の第２内面２２ａを形成する第２トップシート２９ｖと、第３パネル部２３の第３内面２３ａを形成する第３トップシート２９ｗとからなる。また、吸収性パネル３の外面が外側拡散性シート２７に代わって第１外面２１ｂを形成する第１外面シート３０ｕと、第２外面２２ｂを形成する第２外面シート３０ｖと、第３外面２３ｂを形成する第３外面シート３０ｗとからなる。第１、第２、第３トップシート２９ｕ，２９ｖ，２９ｗには、それぞれ性状の異なる不織布やフィルムを使用することができる。例えば第１トップシート２９ｕには、軟便が芯材２８に容易に接触し得るような比較的大きな面積の繊維間隙を有する不織布や比較的面積の大きな開孔を有するプラスチックフィルムを使用し、第２トップシート２９ｖには尿の透過性が良くて芯材２８からの尿の逆流を抑えることができる繊維間隙の小さい不織布や開孔面積の小さいプラスチックフィルムを使用することができる。第１、第２、第３外面シート３０ｕ，３０ｖ，３０ｗそれぞれには性状の異なる不織布やフィルムを使用することができるが、性状の同じ不織布やフィルムも使用することができる。この例のおむつ１において、第３パネル部２３が図４に例示の如く芯材２８を含まない場合には、第１、第２トップシート２９ｕ，２９ｖを透液性のものにして第３トップシート２９ｗのみを不透液性のものにすることができる。
【００２３】
この発明に係るおむつ１において、体液吸収性の芯材２８には、粉砕パルプや粉砕パルプと高吸水性ポリマー粒子や繊維との混合物等からなる体液吸収性材料の集合体が使用される。この芯材２８をサンドウィッチする内側拡散性シート２６と外側拡散性シート２７とにはティッシュペーパ等の体液透過性と体液拡散性とにすぐれたシートが使用される。ただし、内側拡散性シート２６は、それを省くことが可能であり、図２の外側拡散性シート２７は、不透液性のプラスチックフィルムに代えることができる。外側拡散性シート２７を不透液性のプラスチックフィルムに代えた吸収性パネル３が使用される場合のおむつ１では、図２のカバーシート２を不織布のみからなるものに代えることができる。図２のカバーシート２はまた、内面１３を不織布で形成し、外面１４をその不織布にラミネートしたプラスチックフィルムで形成することもできる。
【産業上の利用可能性】
【００２４】
この発明によれば、便溜め用ポケットを大きく開口させることが可能な使い捨ておむつの生産が可能になる。
【図面の簡単な説明】
【００２５】
【図１】使い捨ておむつの部分破断斜視図。
【図２】図１のＩＩ−ＩＩ線矢視図。
【図３】図１のＩＩＩ−ＩＩＩ線矢視図。
【図４】実施態様の一例を示す図２と同様な図。
【図５】実施態様の他の一例を示す図２と同様な図。
【符号の説明】
【００２６】
１    使い捨ておむつ
３    体液吸収部
６    前胴周り被覆域
７    後胴周り被覆域
８    股部被覆域
１３    内面側
１４    外面側
１６    側縁部
２１    第１パネル部
２１ａ    第１内面
２１ｂ    第１外面
２２    第２パネル部
２２ａ    第２内面
２２ｂ    第２外面
２３    第３パネル部
２３ａ    第３内面
２３ｂ    第３外面
２８    集合体
２９    透液性シート
３３    防漏カフ
３４    外側縁部
３６    内側縁部
４６    第１後端部
４７    第１前端部
４８    第２前端部
４９    第２後端部
５１    第３前端部
５２    第３後端部
Ａ    前後方向
Ｂ    幅方向
Ｃ−Ｃ    中心線
【図１】
2005296230.tif 000003
【図２】
2005296230.tif 000004
【図３】
2005296230.tif 000005
【図４】
2005296230.tif 000006
【図５】
2005296230.tif 000007